(57)【特許請求の範囲】
【請求項１】
一対の棒状の係止部材の中心部をフィラメント部材で連結したＨ字形状の係止片の集合体であって、前記フィラメント部材の部分の２ヶ所に連結部を有し、該連結部で連結部材により隣接する係止片に連結して形成されることを特徴とする係止片集合体。
【請求項２】
一対の棒状の係止部材の中心部をフィラメント部材で連結したＨ字形状の係止片の集合体であって、前記係止部材の各両端面に連結部を有し、計４ヶ所の該連結部で連結部材により隣接する係止片に連結して形成されることを特徴とする係止片集合体。
【請求項３】
請求項２の係止片集合体において、前記連結部材を、前記係止部材の外端面の部位で、該係止部材の中心軸に垂直な方向に切断する係止片集合体の分離方法。
【発明の詳細な説明】
【０００１】
【発明の属する技術分野】
本発明は、値札を衣類等の商品に取り付ける、一対の係止部材の中央部をフィラメント部材で連結したＨ字形状の係止片の集合体に関するものである。
【０００２】
【従来の技術】
衣料品に値札（タグ）を取り付ける際には、高価な衣類等の繊細な商品に対しては糸で取り付ける方法が採用されているが、一般には多数の商品に値札を効率的に取り付けるために、一対の棒状の係止部材（クロスバー）の中央部をフィラメント部材で連結したＨ字形状のプラスチック製の係止片（タグピン）が使用されている。
【０００３】
このＨ字形状の係止片は、一対の横方向の係止部材を細長い可撓性のフィラメント部材で連結したものであり、この延伸した柔軟なフィラメント部材と、このフィラメント部材の両端に配置された一対の係止部材とは直交するように形成される。
【０００４】
このＨ字形状の係止片は、ポリウレタン、ポリプロポレン、ナイロン等のプラスチックにより、係止片の集合体として一体成形され、係止片の集合体のまま特開平０６−２６３１２７号公報、特開平１０−０５９３３８号公報、特開平１１−０６５４５２号公報等で提案されているような係止片取付機（タグガン）に装填され、使用時に個々に分離して使用され２つの物品を接合している。
【０００５】
そして、このＨ字形状の係止片の集合体は、互いに隣接する係止片の係止部材同士やフィラメント同士が、紐状材又は担持部材（ランナーバー）によって連結され、間隔を有して実質上平行に積み重ねられたものであり、その連結部位によって、幾つかの係止片集合体が提案されている。
【０００６】
上記の特開平０６−２６３１２７号公報、特開平１０−０５９３３８号公報、特開平１１−０６５４５２号公報等で紹介されている係止片集合体は、図１０及び図１１に示すように、係止片３０の係止部材３１の両方の外側において、フィラメント部材３２の延長上にそれぞれ接続部材４５を設けて、この接続部材４５を、係止部材３１とフィラメント部材３２で形成される平面に直交する担持部材（ランナーバー）４６にそれぞれ接続している。
【０００７】
また、米国特許第６，０４７，８２３号公報の係止片（ファスナー）集合体２１では、図１２に示すように、各係止片１１の片側の係止部材１５においてフィラメント１３の延長方向に設けられた切断可能な接続部材（コネクタ）２５と、この接続部材２５に直交し、係止片１１が形成する平面と直交する一本の担持部材（ランナーバー）２３により、各係止片１１が連結されている。
【０００８】
しかしながら、上記の係止片集合体３，２１では、いずれも担持部材４６，２３を使用して係止片３０，１１を連結しているが、この担持部材４６，２３は、値札４と衣類等の商品５との接合には使用されず、この担持部材４６，２３から係止片３，２１が切り離されると無用になるため、材料に無駄が生じるという問題がある。
【０００９】
また、担持部材４６、２３に残る切断された接続部材４５、２５は多くの場合に鋭角端部を有しているために、係止片取付機からこの担持部材４６、２３が取り出された時に、商品を傷つける恐れが生じるという問題がある。
【００１０】
そのため、米国特許第６，１２９，２０６号公報の係止片（ファスナー）集合体１１では、図１３〜図１５に示すように、個々の係止片１１の各係止部材（クロスバー）１３の中心部分（中間点）同士を、複数の細く短くて切断可能な接続部材（コネクタ）２１−１、２１−２で相互に連結し、所定の間隔を設けて実質的に平行状態に維持している。
【００１１】
この係止片集合体１１では、担持部材を必要としないので、この担持部材を省いた分だけ原材料を節約でき、製造原価を低下させることができる。
【００１２】
【発明が解決しようとする課題】
しかしながら、この米国特許第６，１２９，２０６号公報の係止片（ファスナー）集合体１１においては、次のような問題がある。
【００１３】
係止部材１３の中心部分同士を連結し、係止部材１３がフィラメント部材１５の中心軸まわりに回転可能となるため、隣接する係止部材１３同士が完全に平行状態を維持できず、撓み易くなっている。つまり、フィラメント部材１５で構成される面が曲がる。
【００１４】
この撓み易い構造は、係止片集合体を打ち出し部（中空針）に送る案内通路が曲線になっているような係止片取付機では便利であるが、案内通路が曲線では無く直線の場合には、その利点は生かされず、却って、保管や取扱時に撓んで曲がってしまうため、重ねられた係止片集合体同士の係止片が絡み易くなり、取扱が面倒になるという欠点が目立つことになる。
【００１５】
また、係止片取付機への係止片集合体の装填に際しては、係止片取付機を一方の手に持ちながら、他方の手で係止片集合体を持って、係止集合体の先端部分を係止片取付機の挿入口に合わせてから挿入しているが、係止片集合体が撓んでしまうと、この先端部分を掴まないと先端の位置保持が難しくなるため、装填に手間がかかるという問題が生じる。
【００１６】
そして、この係止片集合体では、係止部材の側面で連結しているために、個々の係止片に分断されて、係止片取付機の中空針に挿入される時に、係止部材に連結部材の切断部が残るので、中空針に挿入される時、引っ掛かり易いという問題がある。
【００１７】
また、連結部材を連結部材からきれいに削ぎ落とす場合には、削ぎ落とされた連結部材が小さな破片となって仕舞うため、ばら蒔かないように注意して取り扱う必要が生じる。
【００１８】
本発明は前記したような問題点を解決するためになされたものであって、その目的は、構造が簡単で成形し易く、原材料の無駄が少なく、取扱に便利な係止片集合体を提供することににある。
【００１９】
【課題を解決するための手段】
上記の目的を達成するための本発明の係止片集合体は、次のように構成される。
【００２３】
１）一対の棒状の係止部材の中心部をフィラメント部材で連結したＨ字形状の係止片の集合体であって、前記フィラメント部材の部分の２ヶ所に連結部を有し、該連結部で連結部材により隣接する係止片に連結して形成される。
【００２４】
この係止片集合体によれば、隣接する係止片同士をフィラメントの部分に連結する連結部材で連結しているため、係止片取付機で、この係止片を個々に分断して、値札を商品に取り付ける際に、切断された連結部材がフィラメント上に残り、係止部材には残らないので、係止部材は円滑に中空針に挿入され、中空針内を通過できる。
【００２５】
また、フィラメント部材の方が係止部材より細径に形成されるので、係止部材を連結する連結部材よりもフィラメント部材を連結する連結部材の方が細長くなり、後始末が容易となる。
【００２６】
２）一対の棒状の係止部材の中心部をフィラメント部材で連結したＨ字形状の係止片の集合体であって、前記係止部材の各両端面に連結部を有し、計４ヶ所の該連結部で連結部材により隣接する係止片に連結して形成される。
【００２７】
この係止片集合体によれば、隣接する係止片同士を４カ所で連結しているため、隣接し合う係止棒の相対位置が固定され、相対的に変位することがなくなり、フィラメント部材で形成される面が曲がることが無い。
【００２８】
そのため、係止片集合体の形状がそのまま維持され、係止片集合体が互いに絡らなくなるので、取扱及び保管が容易となる。その上、係止片取付機への装填が簡単にできるようになる。
【００２９】
３）上記２）の係止片集合体において、係止片集合体における分離方法は、前記連結部材を、前記係止部材の外端面の部位で、該係止部材の中心軸に垂直な方向に切断する係止片集合体の分離方法である。
【００３０】
この係止片集合体の分離方法によれば、係止片の側面部分には連結部材が残らないので、係止部材を円滑に中空針に挿入できるようになる。また、この分離方法により、連結部材を細長い紐状物として取り扱える連続した状態で分離できるので、この係止片分離後の連結部材の後始末が著しく容易となる。
【００３１】
なお、フィラメント部材の部分の２カ所に連結部を設ける場合には、フィラメント部材を延伸して形成することができないが、係止部材に連結部を設ける場合には、フィラメント部材を延伸して形成することもでき、延伸しないで形成することもできる。
【００３２】
【発明の実施の形態】
以下、図面に基づき本発明の実施の形態の係止片集合体について説明する。
【００３３】
図１及び図２に示す第１の実施の形態の係止片集合体３Ａは、一対の棒状の係止部材３１Ａの中心部をフィラメント部材３２Ａで連結したＨ字形状の係止片３０Ａの集合体であって、係止部材３１Ａの端部と中心部との間に各１カ所の連結部３３Ａを有し、計４カ所の連結部３３Ａで連結部材４１Ａにより隣接する係止片３０Ａに連結して形成される。
【００３４】
この係止部材３１Ａとフィラメント部材３２Ａは直交しており、一般的にＨ字形状をなし、これらの各断面形状は円形を有して形成される。しかし、断面形状はこの円形に限定されるものではなく、長円形、矩形、その他の横断面を有して形成してもよい。また、係止部材３１Ａとフィラメント部材３２Ａで別々の断面形状を有していてもよい。
【００３５】
また、係止片集合体３Ａは、延伸可能なウレタンやポリプロピレン（ＰＰ）やナイロン等の分子配向性合成樹脂で一体的に形成され、そのフィラメント部材３２Ａは、成型した金型内あるいは延伸機によって３倍から４倍に延伸して断面を縮小し、強度を向上して形成される。
【００３６】
そして、多数の個々の係止片３０Ａは、細長く切断可能な連結部材４１Ａにより連結され、間隔（スペース）Ｓを有して、実質的に平行に積み重ねられる。
【００３７】
この係止部材３１Ａとフィラメント部材３２Ａは、図１１の下側の図に示す形成片３０と同様に、値札４と商品５の結合状態を保持するが、この結合状態を解除する時には、係止部材３１Ａがそのまま商品５から引き抜かれることなく、フィラメント部材３２Ａが壊れる程度の引張強度を有するように形成される。
【００３８】
また、連結部３３Ａ及び連結部材４１Ａは、各係止片３０Ａが係止片取付機により商品に打ち込まれる時に、係止片取付機の作動により、剪断力が連結部３３Ａ及び連結部材４１Ａに作用すると容易に切断分離される程度の強度で形成される。
【００３９】
そして、この係止片集合体３Ａは、係止片取付機の中空針に挿入直前に、連結部材４１が切断され、図３に示すような係止片３０Ａとなり、係止部材３１Ａは中空針に挿入されて、後部端部を押されることにより、先端から値札（タグ）と商品（布地等）を貫通している中空針内部を通過して、商品の裏側に送り込まれる。この時、フィラメント部材３２Ａの係止部材３１Ａに接続している近傍部分も商品の裏側に送り込まれるので、中空針のフィラメント部材３２Ａ側は開口されている。
【００４０】
この第１の実施の形態の係止片集合体３０Ａは、細く切断可能な連結部材４１Ａによって、係止部材３１Ａの端部と中心部との間に設けられた計４カ所の連結部３３Ａで連結しているので、隣接し合う係止片３０Ａの相対位置が固定され、平行状態が維持される。そのため、フィラメント部材３２Ａで構成する面（フィラメント部材３２Ａを含む面）が撓んで曲がることが無く、平面状態を維持できる。
【００４１】
次に、本発明の第２の実施の形態の係止片集合体について説明する。
【００４２】
図４及び図５に示す第２の実施の形態の係止片集合体３Ｂは、一対の棒状の係止部材３１Ｂの中心部をフィラメント部材３２Ｂで連結したＨ字形状の係止片３０Ｂの集合体であって、フィラメント部材３２Ｂの部分の２カ所に連結部３４Ｂを有し、連結部３４Ｂで連結部材４１Ｂにより隣接する係止片３０Ｂに連結して形成される。この連結部３４Ｂ及び連結部材４１Ｂの位置と個数が異なるが、その他の構成は第１の実施の形態の係止片集合体３Ａと同じである。
【００４３】
この第２の実施の形態の係止片集合体３Ｂによれば、隣接する係止片３０Ｂ同士をフィラメント部材３２Ｂに連結部材４１Ｂで連結しているため、係止片取付機で、この係止片３０Ｂを個々に分断して、図６に示すような係止片３０Ｂを、図１１の下側の図に示す形成片３０と同様に、値札４を商品５に取り付ける際に、切断された連結部材４１Ｂ’がフィラメント部材３２Ｂ上に残り、係止部材３１Ｂには残らないので、係止部材３１Ｂは円滑に中空針を通過できる。
【００４４】
また、フィラメント部材３２Ｂの方が係止部材３１Ｂより細径に形成されるので、係止部材３１Ａを連結する連結部材４１Ａよりもフィラメント部材３２Ｂを連結する連結部材４１Ｂの方が細長くなり、後始末が容易となる。
【００４５】
次に、本発明の第３の実施の形態の係止片集合体について説明する。
【００４６】
図７及び図８に示す第３の係止片集合体３Ｃは、一対の棒状の係止部材３１Ｃの中心部をフィラメント部材３２Ｃで連結したＨ字形状の係止片３０Ｃの集合体であって、係止部材３１Ｃの各両端面に連結部３３Ｃを有し、計４ヶ所の連結部３３Ｃで連結部材４１Ｃにより隣接する係止片３０Ｃに連結して形成される。この連結部３３Ｃの位置が異なる他は第１の実施の形態の係止片集合体３Ａと同じである。
【００４７】
ただし、係止部材３１Ｃとの接合面積が大きくするために、連結部材４１Ｃの断面を円形にするよりも、半円形や矩形やＤ字形状に形成することが好ましい。しかし、接合強度が確保できて、個々に分断する時に切断し易ければ、どのような断面形状であってもよい。
【００４８】
この係止片集合体３Ｃによれば、隣接する係止片３０Ｃ同士を４カ所で連結しているため、隣接し合う係止部材３１Ｃの相対位置が固定され、相対的に変位することがなくなり、フィラメント部材３２Ｄで形成される面が撓んで曲がることが無く、係止片集合体３Ｃの形状がそのまま維持される。
【００４９】
従って、重ねられた係止片集合体３Ｃ同士の係止部材３１Ｃとフィラメント部材３２Ｃ等が絡まることがなくなるので、取扱及び保管が容易となる。その上、係止片取付機への装填が簡単にできるようになる。
【００５０】
しかも、この係止片集合体３Ｃによれば、隣接する係止片３０Ｃ同士を係止部材３１Ｃの端面部分で連結しているため、係止片取付機で、この係止片３０Ｃを個々に分断して、値札４を商品５に取り付ける際に、連結部材４１Ｃを係止部材３１Ｃの端面の部位で、係止部材３１Ｃの中心軸に垂直な方向に切断すると、係止部材３１Ｃの端面部分には連結部材４１Ｃが残らないので、係止部材３１Ｃを円滑に中空針に挿入できる。
【００５１】
また、この切断により、連結部材４１Ｃを連続した状態で分離でき、細長い紐状物として取り扱えるので、この係止片分離後の連結部材４１Ｃの後始末が著しく容易となる。
【００５２】
そして、このような連結部材４１Ｃを係止部材３１Ｃの端面の部位で、係止部材３１Ｃの中心軸に垂直な方向（ＸＹ面と平行に）切断する方法としては、係止片取付機において、連結部材４１Ｃの切断及び分離の時に、連結部材４１Ｃにナイフ等の刃先を当てて連結部材４１Ｃと係止部材３１Ｃとを、フィラメント部材３２Ｃの長手方向Ｚに相対移動させて切断する方法や、係止片３０Ｃを連結部材４１Ｃの長手方向Ｘに移動させると共に、進行方向Ｘの前に刃先と傾斜面を設け、係止片３０Ｃの進行に伴って、連結部材４１Ｃが前方から切断すると共に、切断された連結部材４１Ｃが傾斜面によって、Ｚ方向に移動するようにした切断方法等がある。
【００５３】
これらの切断方法によれば、連続部材４１Ｃが係止部材３１Ｃの中空針への挿入方向から外れるので、分離された連続部材４１Ｃが邪魔にならない。
【００５４】
【発明の効果】
以上の説明から明らかなように、請求項１に係る本発明の係止片集合体によれば、隣接する係止片同士を４カ所で連結しているため、係止片集合体の形状を略固定することができ、重ねた係止片集合体の絡み合いを防止でき、取扱が容易で、しかも、係止片取付機への装填を容易に行うことができる。
【００５５】
また、請求項２に係る本発明の係止片集合体によれば、係止片取付機で、この係止片を個々に分断して、値札を商品に取り付ける際に、切断された連結部材がフィラメント上に残り、係止部材には残らないので、係止部材を中空針に円滑に送り込むことができる。
【００５６】
そして、請求項３に係る本発明の係止片集合体によれば、隣接する係止片同士を４カ所で連結しているため、隣接し合う係止部材の相対位置が固定され、相対的に変位することがなくなり、フィラメント部材で形成される面が曲がることが無い。そのため、係止片集合体の形状がそのまま維持され、係止片集合体が互いに絡まることもなくなるので、取扱及び保管が容易となる。その上、係止片取付機への装填が簡単にできるようになる。
【００５７】
しかも、この係止片集合体において、連結部材を係止部材の先端部位で係止部材の中心軸に垂直な方向に切断することにより、切断された連結部材が係止部材の側面に残らないので、係止部材を円滑に中空針に挿入することができ、その上、切断後の連結部材が連続体となるので、細長い紐状物として取り扱え、連続部材の後始末が著しく容易となる。
【図面の簡単な説明】
【図１】本発明に係る第１の実施の形態の係止片集合体を示す斜視図である。
【図２】図１の係止片集合体の図で、（ａ）は側面図で、（ｂ）は（ａ）のＡ−Ａ矢視図である。
【図３】図１の係止片集合体から分離した係止片を示す斜視図である。
【図４】本発明に係る第２の実施の形態の係止片集合体を示す斜視図である。
【図５】図４の係止片集合体の図で、（ａ）は側面図で、（ｂ）は（ａ）のＡ−Ａ矢視図である。
【図６】図４の係止片集合体から分離した係止片を示す斜視図である。
【図７】本発明に係る第３の実施の形態の係止片集合体を示す斜視図である。
【図８】図７の係止片集合体の図で、（ａ）は側面図で、（ｂ）は（ａ）のＡ−Ａ矢視図である。
【図９】図７の係止片集合体から分離した係止片を示す斜視図である。
【図１０】従来技術の他の係止片集合体の斜視図である。
【図１１】図１０の係止片集合体から係止片を分離し、値札と商品を接合した状態を示す説明図である。
【図１２】従来技術の他の係止片集合体の斜視図である。
【図１３】」  従来技術の他の係止片集合体の斜視図である。
【図１４】図１３の係止片集合体の平面図である。
【図１５】図１４の３−３線矢視図をそれぞれ示す。
【符号の説明】
３Ａ，３Ｂ，３Ｃ  係止片集合体
３０Ａ，３０Ｂ，３０Ｃ  係止片
３１Ａ，３１Ｂ，３１Ｃ  係止部材
３２Ａ，３２Ｂ，３２Ｃ  フィラメント部材
３３Ａ，３３Ｂ，３３Ｃ  連結部
３４Ａ，３４Ｂ，３４Ｃ  切断部
４１Ａ，４１Ｂ，４１Ｃ  連結部材
【図１】
0003870090.tif 000002
【図２】
0003870090.tif 000003
【図３】
0003870090.tif 000004
【図４】
0003870090.tif 000005
【図５】
0003870090.tif 000006
【図６】
0003870090.tif 000007
【図７】
0003870090.tif 000008
【図８】
0003870090.tif 000009
【図９】
0003870090.tif 000010
【図１０】
0003870090.tif 000011
【図１１】
0003870090.tif 000012
【図１２】
0003870090.tif 000013
【図１３】
0003870090.tif 000014
【図１４】
0003870090.tif 000015
【図１５】
0003870090.tif 000016